(57)【要約】【課題】六角形状の熱交換素子において、伝熱紙の歩留まりを向上させることを目的とする。【解決手段】給気空気Ａを通風させる給気風路３と排気空気Ｂを通風させる排気風路４が伝熱紙２を隔てて対向する対向部５と、給気空気Ａを通風させる給気風路３と排気空気Ｂを通風させる排気風路４が伝熱紙を隔てて斜交する斜交部６を有し、且つ遮蔽リブ９と、分割リブ１０を有する六角形状の熱交換素子１であって、給気空気Ａの流入口７・流出口８または排気空気Ｂの流入口７・流出口８のどちらかを伝熱紙２のフープ方向Ｃと並行とした。【選択図】図１
2014066397.tif 000002
【特許請求の範囲】
【請求項１】
所定間隔を設けて積層した複数の伝熱紙間に形成される通風路の一段おきに給気空気と排気空気を通風させて熱交換する六角形状の熱交換素子であって、
前記給気空気を通風させる給気風路と前記排気空気を通風させる排気風路が前記伝熱紙を隔てて対向する対向部と、
前記給気空気を通風させる給気風路と前記排気空気を通風させる排気風路が前記伝熱紙を隔てて斜交する斜交部を有し、
且つ前記給気空気と前記排気空気の流入口及び流出口以外の部分からの気流の漏れを防止する遮蔽リブと、
前記給気風路及び前記排気風路に分割リブを有し、
給気空気の流入口・流出口または排気空気の流入口・流出口のどちらかを前記伝熱紙のフープ方向と並行にしたことを特徴とする熱交換素子。
【請求項２】
所定間隔を設けて隣り合う伝熱紙のフープ方向が交差するよう伝熱紙を配置したことを特徴とする請求項１に記載の熱交換素子。
【請求項３】
所定間隔を設けて隣り合う伝熱紙において、一方の伝熱紙を、伝熱紙を挟んで隣り合う２つの風路の遮蔽リブ及び分割リブと一体に構成し、他方の伝熱紙を前記遮蔽リブに接合させた請求項２記載の熱交換素子。
【発明の詳細な説明】
【技術分野】
【０００１】
本発明は、家庭用の熱交換型換気扇やビルなどの熱交換型換気装置、またはその他の空気調和機に使用する積層構造の熱交換素子に関する。
【背景技術】
【０００２】
従来、この種の熱交換素子は、伝熱紙にフープ材を使用し、給気風路と排気風路が伝熱紙を挟んで対向流となる対向部における給気風路と排気風路の流れ方向に対して伝熱紙のフープ方向が垂直となるように伝熱紙を配置したものが知られている。
【０００３】
以下、その熱交換素子について図６を参照しながら説明する。
【０００４】
図６に示すように、熱交換素子１０１は、所定間隔を設けて積層した複数の伝熱紙１０２間に形成される通風路の一段おきに給気空気Ａと排気空気Ｂを通風させて熱交換するものである。そして、伝熱紙１０２上には、対向部１０５と直交部１０６とが形成される。対向部１０５は、給気空気Ａを通風させる給気風路１０３と排気空気Ｂを通風させる排気風路１０４が伝熱紙１０２を隔てて対向している部分である。直交部１０６は、給気空気Ａを通風させる給気風路１０３と排気空気Ｂを通風させる排気風路１０４が伝熱紙２を隔てて直交している部分である。そして、給気空気Ａと排気空気Ｂの流入口及び流出口以外の部分からの気流の漏れを防止する遮蔽リブ１０９を備えている。この伝熱紙１０２は、対向部１０５の給気空気Ａと排気空気Ｂを通風させる流れ方向に対して、フープ方向Ｃが垂直となるようにした構成であった。
【先行技術文献】
【特許文献】
【０００５】
【特許文献１】特開２００８−２４９２９１号公報
【発明の概要】
【発明が解決しようとする課題】
【０００６】
このような従来の技術を、六角形の熱交換素子に適用した場合、すなわち、対向部の給気空気と排気空気を通風させる流れ方向と伝熱紙のフープ方向が垂直となるように伝熱紙を配置する。そのために、対向部における対辺と直交する方向と、フープ方向を合わせることとなり伝熱紙を加工するときに多くの端材が発生し歩留まりが悪化するという課題を有していた。
【０００７】
そこで本発明は、上記従来の課題を解決するものであり、六角形状の熱交換素子において、湿度等による伝熱紙の変形により、熱交換効率性能が不安定となってしてしまうことを防止すると共に伝熱紙の歩留まりを向上させることを目的とする。
【課題を解決するための手段】
【０００８】
そして、この目的を達成するために、本発明は、所定間隔を設けて積層した複数の伝熱紙間に形成される通風路の一段おきに給気空気と排気空気を通風させて熱交換する六角形状の熱交換素子であって、給気空気を通風させる給気風路と排気空気を通風させる排気風路が伝熱紙を隔てて対向する対向部と、給気空気を通風させる給気風路と排気空気を通風させる排気風路が伝熱紙を隔てて斜交する斜交部を有し、且つ給気空気と排気空気の流入口及び流出口以外の部分からの気流の漏れを防止する遮蔽リブと、給気風路及び排気風路に分割リブを有し、給気空気の流入口・流出口または排気空気の流入口・流出口のどちらかを伝熱紙のフープ方向と平行にしたことを特徴とする熱交換素子としたものであり、これにより所期の目的を達成するものである。
【発明の効果】
【０００９】
本発明によれば、所定間隔を設けて積層した複数の伝熱紙間に形成される通風路の一段おきに給気空気と排気空気を通風させて熱交換する六角形状の熱交換素子であって、給気空気を通風させる給気風路と排気空気を通風させる排気風路が伝熱紙を隔てて対向する対向部と、給気空気を通風させる給気風路と排気空気を通風させる排気風路が伝熱紙を隔てて斜交する斜交部を有し、且つ給気空気と排気空気の流入口及び流出口以外の部分からの気流の漏れを防止する遮蔽リブと、給気風路及び排気風路に分割リブを有し、給気空気の流入口・流出口または排気空気の流入口・流出口のどちらかを伝熱紙のフープ方向と平行にしたことを特徴とする熱交換素子としたことにより、湿度等の影響により伝熱紙の変形が生じる場合においても熱交換効率性能の変動をなくすことができるという効果を得ることができる。また、フープ材から伝熱紙を加工する場合に端材を減少させることができる。
【図面の簡単な説明】
【００１０】
【図１】本発明の実施の形態１の熱交換素子を示す概略斜視図
【図２】同熱交換素子を示す概略斜視図
【図３】同熱交換素子の伝熱紙のフープ方向を示す概略斜視図
【図４】同熱交換素子の変形部を示す概略斜視図
【図５】同熱交換素子の構成を示す概略斜視図
【図６】従来の熱交換素子を示す概略斜視図
【発明を実施するための形態】
【００１１】
本発明の請求項１記載の熱交換素子は、所定間隔を設けて積層した複数の伝熱紙間に形成される通風路の一段おきに給気空気と排気空気を通風させて熱交換する六角形状の熱交換素子であって、給気空気を通風させる給気風路と排気空気を通風させる排気風路が伝熱紙を隔てて対向する対向部と、給気空気を通風させる給気風路と排気空気を通風させる排気風路が伝熱紙を隔てて斜交する斜交部を有し、且つ給気空気と排気空気の流入口及び流出口以外の部分からの気流の漏れを防止する遮蔽リブと、給気風路及び排気風路に分割リブを有し、給気空気の流入口・流出口または排気空気の流入口・流出口のどちらかを伝熱紙のフープ方向と平行にしたという構成を有する。これにより給気空気の流入口と流出口もしくは排気空気の流入口と流出口の間隔がフープ幅となり他の一方がカット幅となるので、端材の発生を減少させ、伝熱紙の歩留まりが向上するという効果を奏する。
【００１２】
また、所定間隔を設けて隣り合う伝熱紙のフープ方向が交差するよう伝熱紙を配置したという構成にしてもよい。これにより伝熱紙の変形が一枚おきとなり積層方向に連続することが無くなるので、湿度等により伝熱紙の変形が生じる実場合でも風路の偏った狭窄を抑制できるので熱交換性能を安定して得ることができるという効果を奏する。
【００１３】
また、所定間隔を設けて隣り合う伝熱紙において、一方の伝熱紙を、伝熱紙を挟んで隣り合う２つの風路の遮蔽リブ及び分割リブと一体に構成し、他方の伝熱紙を遮蔽リブに接合させる構成としてもよい。これにより伝熱紙は一枚置きに設置方法が異なることになるので、伝熱紙のフープ方向を一枚置きに変える際間違いを防止できるという効果を奏する。
【００１４】
以下、本発明の実施の形態について図面を参照しながら説明する。
【００１５】
（実施の形態１）
本実施の形態の熱交換素子１は、図１に示すように、所定間隔を設けて積層した複数の伝熱紙２間に給気空気Ａを通風させる給気風路３と排気空気Ｂを通風させる排気風路４が交互に形成されるものである。伝熱紙２は、外形を六角形として、給気風路３と排気風路４が伝熱紙２を隔てて対向する対向部５と、給気風路３と排気風路４が伝熱紙２を隔てて斜交する斜交部６を有している。なお、伝熱紙２の外形によっては、斜交部６において、給気風路３と排気風路４が直交する場合もある。そして、図２に示すように、給気空気Ａと排気空気Ｂの流入口７及び流出口８以外の部分には、気流の漏れを防止する遮蔽リブ９が設けられている。また、伝熱紙２上には、給気風路３及び排気風路４をレーン状に仕切る分割リブ１０が設けられている。そして、伝熱紙２は、給気空気Ａの流入口７・流出口８または排気空気Ｂの流入口７・流出口８のどちらかを伝熱紙２のフープ方向Ｃと平行となるようにしている。図２においては、給気空気Ａの流入口７・流出口８とフープ方向Ｃとが平行になっている。
【００１６】
図３に示すように、伝熱紙２は、フープ形状１１の材料を切断や型抜き加工によって製造される。そして、フープ方向Ｃに対して給気空気Ａの流入口７・流出口８または排気空気Ｂの流入口７・流出口８のどちらかが平行となる。
【００１７】
上記構成により給気空気Ａの流入口７と流出口８もしくは排気空気Ｂの流入口７と流出口８の距離がフープ幅となるのでこの方向における端材の発生はなくなる。また、フープ方向Ｃに見た場合も、給気空気Ａの流入口７と流出口８、および排気空気Ｂの流入口７と流出口８は平行となっているため、切断前の材料は、１枚目の伝熱紙２の流出口と２枚目の伝熱紙２の流入口が同一直線上に形成されることとなる。従って、端材の発生を減少させることができる。
【００１８】
このように本発明の実施の形態１の熱交換素子によれば、六角形状の熱交換素子においても伝熱紙の歩留まりを向上させることができることとなる。
【００１９】
（実施の形態２）
図４において、所定間隔を設けて隣り合う伝熱紙２のフープ方向Ｃが交差するよう伝熱紙２を配置した構成とする。
【００２０】
上記構成により、伝熱紙２上に空気を流すと、伝熱紙２に変形部１２が発生する。この変形部１２は、フープ方向Ｃと平行に空気を流すと、図４に示すように、流入口７や流出口８から見たときに円弧形状に見える方向に生成される。この変形部１２は、伝熱紙２上で偏流を生じさせる。しかし、隣接した伝熱紙２では、フープ方向Ｃが直交しているので、変形が生じない。すなわち、例えば、給気空気Ａの流入口において、変形部１２は一枚おきに発生するので、積層方向に連続的に発生することを抑制できる。
【００２１】
このように本発明の実施の形態２の熱交換素子によれば、湿度等により伝熱紙２の変形が生じた場合でも風路の偏った狭窄を抑制できるので熱交換性能を安定して得ることができることとなる。
【００２２】
（実施の形態３）
図５は所定間隔を設けて隣り合う伝熱紙２において、一方の伝熱紙２を、伝熱紙２を挟んで隣り合う２つの風路の遮蔽リブ９及び分割リブ１０とインサート成型等により一体に構成し、他方の伝熱紙２を一体に構成された遮蔽リブ９に溶着等で接合させる構成とする。
【００２３】
上記構成によりより伝熱紙は一枚置きに製造工程が異なることになる。
【００２４】
このように本発明の実施の形態３の熱交換素子によれば、同一工程の中で伝熱紙のフープ方向Ｃを一枚おきに変更するのは間違えやすいのに対し、別工程にすることで伝熱紙２のフープ方向Ｃを一枚置きに変える際間違いを防止できるという効果を奏する。
【産業上の利用可能性】
【００２５】
本発明は、家庭用の熱交換型換気扇やビルなどの熱交換型換気装置、またはその他の空気調和機に使用する積層構造の熱交換素子に適用できる。
【符号の説明】
【００２６】
１  熱交換素子
２  伝熱紙
３  給気風路
４  排気風路
５  対向部
６  斜交部
７  流入口
８  流出口
９  遮蔽リブ
１０  分割リブ
１１  フープ形状
１２  変形部
１０１  熱交換素子
１０２  伝熱紙
１０３  給気風路
１０４  排気風路
１０５  対向部
１０６  直交部
１０９  遮蔽リブ
【図１】
2014066397.tif 000003
【図２】
2014066397.tif 000004
【図３】
2014066397.tif 000005
【図４】
2014066397.tif 000006
【図５】
2014066397.tif 000007
【図６】
2014066397.tif 000008